(57)【特許請求の範囲】
【請求項１】
チャンネル毎に番組内容のデータと少なくとも該番組内容のジャンルを指示する情報を含む付加データとが割り当てられ、かつ、同じジャンルの放送番組が連続するチャンネル番号に割当てられた配列形態で、同じ放送局から送られてくる多チャンネル放送を受信するよう適応された受信機であって、
チャンネルの選択に係る情報を入力する入力手段と、
該入力手段からのチャンネル・アップ／ダウン操作に基づいて各チャンネルの放送を順次選択する放送選択手段と、
選択された放送に係る番組内容のデータを復調する復調手段と、
該復調手段から出力されたデータをユーザに提供する表示手段と、
前記多チャンネル放送を受信する際に各チャンネルと当該チャンネルの番組内容のジャンルとを対応付けたテーブルを格納するテーブル格納手段と、
ジャンル登録手段と、
前記入力手段、放送選択手段、復調手段、表示手段、テーブル格納手段及びジャンル登録手段に動作可能に接続された制御手段とを具備し、
該制御手段は、前記入力手段から特定の入力指示があったときに前記テーブル格納手段に格納されているテーブルを参照して、前記放送選択手段に対し、現在選択中のチャンネルに係るジャンルと同じジャンルの後続のチャンネルについてその選択処理をスキップさせ、さらにチャンネルのスキップ処理の過程でスキップされたチャンネルに係るジャンルを前記ジャンル登録手段に登録しておき、前記放送選択手段に対し、当該登録されたジャンルのチャンネルについてその選択処理をスキップさせることを特徴とする多チャンネル放送受信機。
【請求項２】
前記入力手段は、前記チャンネル・アップ／ダウン操作に係るアップ／ダウンキーを有し、該アップ／ダウンキーの所定時間以上の操作によって前記特定の入力指示を与えることを特徴とする請求項１に記載の多チャンネル放送受信機。
【請求項３】
前記所定時間は、１．７秒に設定されていることを特徴とする請求項２に記載の多チャンネル放送受信機。
【請求項４】
前記入力手段は、前記チャンネル・アップ／ダウン操作に係るアップ／ダウンキーとは別に、前記特定の入力指示を与えるスキップキーを有することを特徴とする請求項１に記載の多チャンネル放送受信機。
【請求項５】
前記表示手段は、ユーザに提供する選択チャンネルの放送に係る番組内容のデータの表示を、可視情報及び可聴情報の少なくとも一方の形態で行うことを特徴とする請求項１に記載の多チャンネル放送受信機。
【請求項６】
車両に搭載されていることを特徴とする請求項１から５のいずれか一項に記載の多チャンネル放送受信機。
【発明の詳細な説明】
【０００１】
【発明の属する技術分野】
本発明は、多チャンネル放送受信機に関し、より詳細には、チャンネル毎に番組内容のデータと該番組内容のタイトルやジャンル等を指示する付加データとが割り当てられたデータフォーマットを有するデジタル放送を受信するよう適応された多チャンネル放送受信機（例えば、車載用受信機）において、ユーザが所望するサービス（チャンネル）を選択する際の操作性を高めるのに有用な技術に関する。
【０００２】
本発明に係る多チャンネル放送受信機は、放送メディアの種類に関係なく、また受信契約の有無に関係なく、上記のデータフォーマットを有するデジタル放送システムに適用される。
【０００３】
【従来の技術】
放送メディアの種類としては、ＦＭ多重放送、ＲＤＳ、ＳＤＡＲＳ（衛星デジタルラジオ）、ＤＡＢなどが知られている。かかる放送メディアにおいては、デジタル化と共に多チャンネル化が進み、それに伴い、番組名や番組内容、演奏曲名、ジャンルなどの放送内容に関しての様々な情報が付加された放送サービスが提供されるようになってきている。そして、ユーザは、放送メディアにおいて様々なサービスを受けることが可能となってきている。しかしその一方で、数百あるサービスチャンネルの中からユーザが好みのサービス（すなわちチャンネル）を選択するための操作も複雑になってきている。
【０００４】
多数のチャンネルを有する放送サービスでは、同じジャンルの放送番組は、連続するチャンネル番号に割り当てられている場合が多い。例えば図１に示すように、チャンネル数Ｎの放送サービスにおいて、チャンネル番号ｃｈ１〜ｃｈ４には「ポップス」が、チャンネル番号ｃｈ５〜ｃｈ７には「ニュース」が、チャンネル番号ｃｈ８〜ｃｈ１０には「ロック」が、それぞれ連続して割り当てられており、チャンネル番号ｃｈ１１以降についても同様の配列形態で各ジャンルの放送番組が割り当てられている。
【０００５】
かかる多チャンネルのデジタル放送システムに適用される放送受信機では、チャンネルの切替、すなわちチャンネルの選択は、典型的な手段として、操作部に設けられたアップ／ダウンキーの押下操作によって行われている。この場合、アップ／ダウンキーを１回操作する毎に順次１チャンネルずつ切替が行われる。例えば図２（ａ）に示すように、ｃｈ１の放送を現在受信している状態で、アップキーを操作するとｃｈ２の放送が受信され、次にアップキーを操作するとｃｈ３の放送が受信され、次にダウンキーを操作するとｃｈ２の放送が受信され、以降同様にして、アップ／ダウンキーを１回操作する毎に順次放送受信チャンネルがアップ方向又はダウン方向に切り替えられる。
【０００６】
従って、ｃｈ１の放送を現在受信している状態で、ユーザが例えばチャンネル番号ｃｈ８の放送を受信したいと考えた場合、図２（ｂ）に示すように、現在受信中のｃｈ１から目的のｃｈ８に切り替えられるまでにアップキー操作を７回行う必要がある。
【０００７】
【発明が解決しようとする課題】
上述したように従来の技術では、同じジャンルの放送番組が連続するチャンネル番号に割り当てられているため（図１）、現在受信中のチャンネルとユーザが所望するチャンネルとの間に別のチャンネルが介在している場合、アップ／ダウンキーによるチャンネル切替（選択）操作を行う過程で（図２）、その別のチャンネル（すなわち、ユーザが所望していないチャンネル）がいったん選択されて当該放送番組が受信されることになり、その一方で、目的のチャンネルに切り替えられるまでの間はアップ／ダウンキーによる無駄な操作を余儀なくされる。
【０００８】
例えば図１に示した放送内容において、ｃｈ４の「ポップス」を聴いているときに別の音楽（例えば、ｃｈ８の「ロック」）を聴きたい場合、その音楽のサービスを選択するためにアップキーを操作してチャンネルを切り替える。かかるチャンネル切替を行うと、図２（ｂ）に例示したように、先ずｃｈ５が選択されてその放送番組（この場合、「ニュース」）が受信される。しかし、ユーザが所望しているのは「ニュース」ではなく「ロック」であるため、ｃｈ５からさらに、ｃｈ６、ｃｈ７、ｃｈ８と３回のアップキー操作が必要になる。つまり、現在受信中のチャンネル（ｃｈ４）から目的とする所望のチャンネル（ｃｈ８）に達するまでにｃｈ５〜ｃｈ７の３回の余計な操作を行わなければならない。
【０００９】
このように従来の技術では、同じジャンルの放送番組が連続するチャンネル番号に割り当てられている放送サービスに対し、アップ／ダウンキー操作による１チャンネル毎のチャンネル切替を行っていたため、ユーザが所望するチャンネルが現在受信中のチャンネルよりもずっと先にある場合、そのチャンネル切替操作に関して無駄な操作が生じるといった課題があった。
【００１０】
また、上記のようにアップ／ダウンキー操作による１チャンネル毎のチャンネル切替を行う代わりに、所望の放送サービスを選択する別の手段として、ユーザがその放送サービスに係るジャンル（ポップス、ニュース等）を指定し、この指定に基づいて当該放送受信機がその放送サービス（放送番組の受信周波数）を検索し、選択する機能を備えたものがある。
【００１１】
しかしながら、ジャンルの指定はユーザが手動で行うことになるため、煩雑な操作を行わなければならないといった不利がある。
【００１２】
本発明は、かかる従来技術における課題に鑑み創作されたもので、ユーザが所望している放送サービスの選択に際し、無駄なチャンネル切替操作や煩雑な操作を無くして操作性の向上を図ることができる多チャンネル放送受信機を提供することを目的とする。
【００１３】
【課題を解決するための手段】
上述した従来技術の課題を解決するため、本発明によれば、チャンネル毎に番組内容のデータと少なくとも該番組内容のジャンルを指示する情報を含む付加データとが割り当てられ、かつ、同じジャンルの放送番組が連続するチャンネル番号に割当てられた配列形態で、同じ放送局から送られてくる多チャンネル放送を受信するよう適応された受信機であって、チャンネルの選択に係る情報を入力する入力手段と、該入力手段からのチャンネル・アップ／ダウン操作に基づいて各チャンネルの放送を順次選択する放送選択手段と、選択された放送に係る番組内容のデータを復調する復調手段と、該復調手段から出力されたデータをユーザに提供する表示手段と、前記多チャンネル放送を受信する際に各チャンネルと当該チャンネルの番組内容のジャンルとを対応付けたテーブルを格納するテーブル格納手段と、ジャンル登録手段と、前記入力手段、放送選択手段、復調手段、表示手段、テーブル格納手段及びジャンル登録手段に動作可能に接続された制御手段とを具備し、該制御手段は、前記入力手段から特定の入力指示があったときに前記テーブル格納手段に格納されているテーブルを参照して、前記放送選択手段に対し、現在選択中のチャンネルに係るジャンルと同じジャンルの後続のチャンネルについてその選択処理をスキップさせ、さらにチャンネルのスキップ処理の過程でスキップされたチャンネルに係るジャンルを前記ジャンル登録手段に登録しておき、前記放送選択手段に対し、当該登録されたジャンルのチャンネルについてその選択処理をスキップさせることを特徴とする多チャンネル放送受信機が提供される。
【００１４】
本発明に係る多チャンネル放送受信機によれば、各チャンネル毎に少なくともその番組内容のジャンルを指示する情報を含む付加データが割り当てられ、かつ、同じジャンルの放送番組が連続するチャンネル番号に割当てられた配列形態で同じ放送局から送られてくる多チャンネル放送を受信する際に、テーブル格納手段に、各チャンネルと当該チャンネルに係るジャンルとを対応付けたテーブルが格納され、入力手段から特定の入力指示があったときに、制御手段がそのテーブルを参照して、放送選択手段に対し、現在選択中のチャンネルに係るジャンルと同じジャンルの後続のチャンネルについてその選択処理をスキップさせるようにしている。つまり、同じジャンルの放送をしているチャンネルの選択処理をスキップし、その後に続く、違うジャンルのチャンネルの放送のみを選択し、ユーザに提供するようにしている。
【００１５】
従って、例えば図１に示したような放送サービスの内容に対し、現在受信中のチャンネルがｃｈ１であり、ユーザが放送の受信を所望しているチャンネルがｃｈ８であった場合、従来の技術では、図２（ｂ）に示したようにｃｈ１からｃｈ８に切り替えられるまでにアップキー操作を７回行う必要があったが、本発明によれば、入力手段からの特定の入力指示として、例えば図６に例示するように、スキップキーの操作又はアップキーの長押し操作を２回行うことで、ｃｈ１からｃｈ８に切り替えることができる。
【００１６】
このように本発明によれば、今後の放送メディアの主流になりつつある多チャンネルのデジタル放送メディアにおいて、従来技術に見られたような無駄なチャンネル切替操作や煩雑な操作を行うことなく、比較的簡単な操作で、ユーザが所望している放送サービスを選択することが可能となる。
【００１８】
また、本発明に係る多チャンネル放送受信機によれば、図１に示したような放送サービスの内容に対してｃｈ１からｃｈ８にチャンネルの切り替えを行う場合、ｃｈ５〜ｃｈ７のチャンネルについては前の処理で既にスキップされてそのジャンルがジャンル登録手段に登録されているので、例えば図７に例示するように、ｃｈ１の受信状態でスキップキー操作を１回行うと、制御手段からの制御に基づいて放送選択手段により、その登録されたジャンルのチャンネル（ｃｈ５〜ｃｈ７）の選択処理は自動的にスキップされて（無視されて）、ｃｈ８の放送を受信することができる。つまり、スキップキー操作が１回で済むので、操作性の更なる向上を図ることができる。
【００１９】
【発明の実施の形態】
図３は本発明の一実施形態に係る多チャンネル放送受信機の構成を概略的に示したものである。
【００２０】
本実施形態に係る多チャンネル放送受信機１０は、後述するように、チャンネル毎に番組内容のデータと該番組内容のタイトルやジャンル等を指示する付加データとが割り当てられたデータフォーマットを有するデジタル放送を受信するように適応されている。本実施形態の多チャンネル放送受信機１０は、好適には車両に搭載されて使用される。
【００２１】
多チャンネル放送受信機１０において、１１はマイクロコンピュータ等により構成された制御部を示し、この制御部１１は、後述するように各チャンネルの選択及び受信に係る種々の処理（選択／受信チャンネル等の操作に関する表示、選択チャンネルの放送の受信、ユーザが所望しないチャンネルのスキップ処理等）を行う機能を有している。また、１２は例えばタッチパネル方式のキーパッドからなる操作部を示し、この操作部１２には、チャンネルの切替（選択）操作を行うためのアップ／ダウンキー、後述する同一ジャンルのチャンネル・スキップ処理の際に用いるスキップキー、本受信機１０のオン／オフ操作を行うための電源スイッチなどが設けられている。
【００２２】
また、１３は放送業者から提供される各チャンネルの放送電波（高周波信号）を受信するアンテナ、１４は制御部１１から供給される周波数制御データＣＤ１に基づいて、受信された高周波デジタル信号を増幅する高周波増幅（ＲＦ）部、１５はＲＦ部１４を通して増幅された高周波デジタル信号を復調するデジタル復調部、１６はデジタル復調部１５から出力されたデジタル信号（ビット列）を所定のブロック単位等に区切ってエラー検出とその訂正処理を行うエラー訂正部、１７は制御部１１から供給されるチャンネル選択に係る制御データＣＤ２に基づいて、エラー訂正部１６を介して入力される各チャンネルのデジタル信号の中からいずれか１つのチャンネルの信号（音声／映像信号ＳＤ）を選択出力するデマルチプレクサを示す。
【００２３】
なお、高周波増幅（ＲＦ）部１４、デジタル復調部１５、エラー訂正部１６及びデマルチプレクサ１７は、チューナ部ＣＮを構成し、全体として、制御部１１からの制御の下にアンテナ１３を介して所望のチャンネルの放送を受信させる機能を有している。
【００２４】
また、１８はデマルチプレクサ１７から出力された音声／映像信号ＳＤから変調信号成分を取り出し、この変調信号成分を復調して音声データＡＤ／映像データＶＤを出力するデコード部、１９はデコード部１８を通して復調された音声データＡＤの信号を増幅するオーディオアンプ、２０はオーディオアンプ１９を通して増幅された音声データＡＤをユーザに可聴情報の形態で提供するスピーカ、２１は制御部１１からの制御に基づいてユーザに可視情報の形態で情報案内（選択／受信チャンネル等の操作に関する表示、映像データＶＤの表示など）を行う液晶ディスプレイ等の表示部を示す。
【００２５】
また、２２は外部メモリ（ＲＡＭ）を示し、このＲＡＭ２２には、制御部１１からの制御に基づいて多チャンネル放送を受信したときに各チャンネルを指示する情報と共に、この情報に対応付けて、当該チャンネルの番組内容のジャンルを指示する情報が格納される。つまり、各チャンネルと当該チャンネルに係るジャンルとを対応付けた「テーブル」情報が格納される。
【００２６】
以上のように構成された多チャンネル放送受信機１０において、制御部１１は「制御手段」に、操作部１２は「入力手段」に、デコード部１８は「復調手段」に、スピーカ２０及び表示部２１は「表示手段」に、ＲＡＭ２２は「テーブル格納手段」に、チューナ部ＣＮは「放送選択手段」にそれぞれ対応している。
【００２７】
図４は本実施形態に係る多チャンネル放送受信機１０で受信されるデジタル放送のデータフォーマットの一例を示したものである。このようなデータフォーマットは、多チャンネルのデジタル放送を配信する放送局側で指定される。
【００２８】
図４に示すように、Ｎチャンネル分のチャンネルデータより１つのデータフレームが構成されており、この１フレーム分のデータは１／４３２〔ｍｓ〕毎に放送局から配信される。各チャンネルｎ（１〜Ｎ）のデータは、番組内容それ自体のデータ（音声／映像データ）と、その番組内容のタイトルやジャンル等を指示する付加データ（番組付加情報）とから構成されている。番組付加情報には、当該番組内容に係る番組名、番組ＩＤ、アルバム名などのタイトル、その番組内容の種類（音楽番組であれば「ポップス」、「ロック」、「ジャズ」など）を指示するジャンル、経過時間その他の情報が含まれている。
【００２９】
本実施形態に係る多チャンネル放送受信機１０は、後述するように、同じジャンルの放送番組が連続するチャンネル番号に割り当てられている放送サービスの内容に対し（図１参照）、ユーザが、現在選択中のチャンネルに係るジャンルと違うジャンルのチャンネルの放送を受信したいときに、現在選択中のチャンネルに係るジャンルと同じジャンルの後続のチャンネルについてその選択処理をスキップするようにしたことを特徴とする。つまり、同じジャンルの放送をしているチャンネルの選択処理をスキップし、その後に続く、違うジャンルのチャンネルの放送のみを選択し、ユーザに提供するようにしている。
【００３０】
かかる同一ジャンルのチャンネル・スキップ処理は、操作部１２から特定の入力指示が有ったときに、制御部１１がＲＡＭ２２内のテーブル情報を参照し、制御部１１からの制御に基づいてチューナ部ＣＮにより行われる。
【００３１】
特定の入力指示は、スキップキーの操作によって与えるようにしても良いし、あるいは、アップ／ダウンキーの所定時間以上（例えば１．７秒以上）の操作、いわゆる「長押し操作」によって与えるようにしても良い。
【００３２】
以下、本実施形態の多チャンネル放送受信機１０が行う同一ジャンルのチャンネル・スキップ処理について、その一例に係る処理フローを表した図５、及びその処理に係るチャンネル選択操作と受信チャンネルとの関係を示した図６を参照しながら説明する。なお、初期状態において本受信機１０の電源はオン状態にあるものとする。
【００３３】
先ず図５を参照すると、ステップＳ１では、制御部１１により、アンテナ１３からチューナ部ＣＮを介して多チャンネルのデジタル放送を受信した（ＹＥＳ）か否（ＮＯ）かを判定する。判定結果がＹＥＳの場合には次のステップＳ２に進み、判定結果がＮＯの場合には本ステップの処理を繰り返す。
【００３４】
次のステップＳ２では、制御部１１により、チューナ部ＣＮを介して受信された多チャンネルのデジタル放送から、各チャンネルと当該チャンネルの番組内容のジャンルとを対応付けたテーブルを作成し、その「テーブル」情報をＲＡＭ２２に格納する。
【００３５】
これによって制御部１１は、ＲＡＭ２２に格納されている「テーブル」情報を参照することで、各チャンネル１〜Ｎと当該チャンネルに係るジャンル（ポップス、ニュース等）との関係を認識することができる。
【００３６】
次のステップＳ３では、制御部１１からの制御の下にチューナ部ＣＮにより、最初のチャンネルとして、現在選択状態にあるチャンネル（例えば、表示部２１の画面上にｃｈ１が表示されている場合には、そのチャンネルｃｈ１）の放送を受信する。
【００３７】
すなわち、制御部１１からの制御の下にチューナ部ＣＮにより、その選択状態にあるチャンネルの受信周波数をサーチし、当該チャンネルの信号を受信する。この受信された信号（音声／映像信号ＳＤ）は、デコード部１８を通して復調された後（音声データＡＤ／映像データＶＤ）、オーディオアンプ１９を介してスピーカ２０に出力されると共に、表示部２１に出力される。これによって、ユーザは、現在選択状態にあるチャンネルの放送を、スピーカ２０により可聴情報の形態で、また表示部２１により可視情報の形態で、受信することができる。
【００３８】
次のステップＳ４では、制御部１１により、ユーザが操作部１２を介してチャンネル選択に係る操作を行ったか否か、すなわち操作部１２からアップ／ダウンキーの操作（Ａ）、又は特定の入力指示（Ｂ）が有った（ＹＥＳ）か否（ＮＯ）かを判定する。判定結果がＹＥＳの場合には、アップ／ダウンキーの操作（Ａ）が有ったときはステップＳ５、スキップキー操作等の特定の入力指示（Ｂ）が有ったときはステップＳ６にそれぞれ進み、一方、判定結果がＮＯの場合にはステップＳ８に進む。
【００３９】
ステップＳ５では（つまり、アップ／ダウンキーが操作された場合）、制御部１１からの制御の下にチューナ部ＣＮにより、ステップＳ３で受信したチャンネルに続く次のチャンネル（この場合、チャンネルｃｈ２）の受信周波数をサーチし、当該チャンネルの放送を受信する。この後、ステップＳ４に戻って上記の処理を繰り返す。
【００４０】
一方、ステップＳ６では（つまり、スキップキー操作等の特定の入力指示が有った場合）、制御部１１がＲＡＭ２２に格納されている「テーブル」情報を参照し、制御部１１からの制御に基づいてチューナ部ＣＮにより、現在選択中のチャンネルに係るジャンル（この場合、チャンネルｃｈ１の「ポップス」）と同じジャンルの後続のチャンネル（この場合、ｃｈ２〜ｃｈ４）の選択処理をスキップする。
【００４１】
次のステップＳ７では、制御部１１からの制御の下にチューナ部ＣＮにより、ステップＳ６でスキップされた同じジャンルのチャンネル（ｃｈ２〜ｃｈ４）に続く、違うジャンルの最初のチャンネル（この場合、チャンネルｃｈ５）の受信周波数をサーチし、当該チャンネルの放送を受信する（図６参照）。この後、ステップＳ４に戻って上記の処理を繰り返す。
【００４２】
最後のステップＳ８では（つまり、チャンネル選択に係る操作（Ａ）、（Ｂ）のいずれも無かった場合）、制御部１１により、ユーザが操作部１２の電源スイッチを操作して本受信機１０の電源をオフにした（ＹＥＳ）か否（ＮＯ）かを判定する。判定結果がＹＥＳの場合には、この処理フローは「エンド」となり、判定結果がＮＯの場合には、ステップＳ４に戻って上記の処理を繰り返す。
【００４３】
以上説明したように、本実施形態の多チャンネル放送受信機１０によれば、図４に示したような各チャンネル毎に番組内容のデータ（音声／映像データ）と少なくともその番組内容のジャンルを指示する情報を含む付加データ（番組付加情報）が割り当てられた多チャンネル放送を受信する際に、制御部１１を介してＲＡＭ２２に、各チャンネルと当該チャンネルに係るジャンルとを対応付けたテーブル情報が格納される。そして、操作部１２から特定の入力指示（スキップキーの操作、アップ／ダウンキーの長押し操作など）が有ったときに、制御部１１がそのテーブル情報を参照し、制御部１１からの制御に基づいてチューナ部ＣＮにより、現在選択中のチャンネルに係るジャンルと同じジャンルの後続のチャンネルについてその選択処理をスキップするようにしている。つまり、同じジャンルの放送をしているチャンネルの選択処理をスキップし、その後に続く、違うジャンルのチャンネルの放送のみを選択し、スピーカ２０／表示部２１を介してユーザに提供するようにしている。
【００４４】
従って、例えば図１に示したような放送サービスの内容に対し、現在受信中のチャンネルがｃｈ１であり、ユーザが受信を所望しているチャンネルがｃｈ８であった場合、従来の技術では（図２（ｂ）参照）、ｃｈ１からｃｈ８に切り替えられるまでにアップキー操作を７回行う必要があったが、本実施形態によれば、図６に例示したようにスキップキー操作又はアップキー長押し操作を２回行うことで、ｃｈ１からｃｈ８に切り替えることができる。
【００４５】
このように、従来技術に見られたような無駄なチャンネル切替操作やジャンルの指定などの煩雑な操作を行うことなく、比較的少ない操作で、ユーザが所望している放送サービスを選択することができる。
【００４６】
上述した実施形態に係る多チャンネル放送受信機１０によれば、従来形に比して少ない操作で所望の放送サービスを選択することができるが、図６に例示したように、ｃｈ１からｃｈ８に切り替えられるまでにスキップキー操作（又はアップキー長押し操作）を２回行う必要がある。つまり、１回目のスキップキー操作を行ったときに、ｃｈ１に係るジャンル（ポップス）とは違うジャンル（ニュース）のｃｈ５がいったん選択されてその放送番組が受信されるが、このｃｈ５はユーザが所望したチャンネルではない。この点で、１回分のスキップキー操作が無駄になる。
【００４７】
このような不利を改善するための一例として、上述した実施形態に係る多チャンネル放送受信機１０の構成（図３）に加えてさらに、上述した同一ジャンルのチャンネル・スキップ処理の過程でスキップされたチャンネルに係るジャンルを登録しておくためのジャンル登録手段（図３において破線で示すＲＡＭ２３）を備えるようにする。この場合、制御部１１からの制御に基づいてチューナ部ＣＮにより、ＲＡＭ２３に登録されたジャンルのチャンネルについてその選択処理が自動的にスキップ（つまり無視）される。
【００４８】
この形態に係る多チャンネル放送受信機１０ａによれば、上述した実施形態の場合と同様に図１に示したような放送サービスの内容に対してｃｈ１からｃｈ８にチャンネルの切り替えを行う場合、ｃｈ５〜ｃｈ７については前の処理で既にスキップされてそのジャンルがＲＡＭ２３に登録されているので、例えば図７に例示するように、ｃｈ１の受信状態でスキップキー操作を１回行うと、ｃｈ５〜ｃｈ７の選択処理は無視されて、ｃｈ８の放送を受信することができる。このようにスキップキー操作が１回で済むので、上述した実施形態の場合と比べて、操作性の更なる向上を図ることができる。
【００４９】
【発明の効果】
以上説明したように、本発明に係る多チャンネル放送受信機によれば、各チャンネル毎に少なくともその番組内容のジャンルを指示する情報を含む付加データが割り当てられ、かつ、同じジャンルの放送番組が連続するチャンネル番号に割当てられた配列形態で同じ放送局から送られてくる多チャンネル放送のサービスに対し、現在選択中のチャンネルに係るジャンルと同じジャンルの後続のチャンネルの選択処理をスキップするよう制御しているので、ユーザが所望している放送サービスの選択に際し、従来技術に見られたような無駄なチャンネル切替操作や煩雑な操作を無くし、操作性の向上を図ることができる。
【図面の簡単な説明】
【図１】多チャンネル放送サービスの内容の一例を示す図である。
【図２】従来の多チャンネル放送受信機におけるチャンネル選択操作と受信チャンネルとの関係を示す図である。
【図３】本発明の一実施形態に係る多チャンネル放送受信機の構成を概略的に示すブロック図である。
【図４】図３の多チャンネル放送受信機で受信されるデジタル放送のデータフォーマットの一例を示す図である。
【図５】図３の多チャンネル放送受信機が行う同一ジャンルのチャンネル・スキップ処理の一例を示すフロー図である。
【図６】図５に示すチャンネル・スキップ処理に係るチャンネル選択操作と受信チャンネルとの関係を示す図である。
【図７】本発明の他の実施形態によるチャンネル・スキップ処理に係るチャンネル選択操作と受信チャンネルとの関係を示す図である。
【符号の説明】
１０，１０ａ…多チャンネル放送受信機、
１１…制御部（制御手段）、
１２…操作部（入力手段）、
１８…デコード部（復調手段）、
２０…スピーカ（可聴情報表示手段）、
２１…表示部（可視情報表示手段）、
２２…ＲＡＭ（テーブル格納手段）、
２３…ＲＡＭ（ジャンル登録手段）、
ＣＮ…チューナ部（放送選択手段）。
【図１】
0004004773.tif 000002
【図２】
0004004773.tif 000003
【図３】
0004004773.tif 000004
【図４】
0004004773.tif 000005
【図５】
0004004773.tif 000006
【図６】
0004004773.tif 000007
【図７】
0004004773.tif 000008